(57)【要約】【課題】打撃により発音する音管を有する楽器において、演奏者が誤って音管の管体を打撃することを抑制し、楽器の演奏性を向上させる技術を提供する。【解決手段】打撃により発音する音管１０は、音管を発音させる際に打撃が行われるキャップ１２と、キャップ１２が組み付けられる管体１１とを有している。この音管１０では、キャップ１２と管体１１とを組み付けた状態の外観において、キャップ１２と管体１１とが異なる色を呈するように、キャップ１２と管体１１とが構成されている。【選択図】図２
2017173435.tif 000002
【特許請求の範囲】
【請求項１】
打撃により発音する音管であって、
前記音管を発音させる際に打撃が行われるキャップと、
前記キャップが組み付けられる管体と、
を備え、
前記キャップと前記管体とは、前記キャップと前記管体とを組み付けた状態の外観において、前記キャップと前記管体とが異なる色を呈するように構成されている、
音管。
【請求項２】
請求項１記載の音管であって、
前記キャップは、真鍮により形成されたキャップ母材を有し、
前記管体は、真鍮により形成された管体母材を有しており、
前記キャップ母材の表面には金属のめっき層が形成されている、
音管。
【請求項３】
前記めっき層を形成する金属は、クロムである、請求項２記載の音管。
【請求項４】
前記管体母材の外面には、ラッカー層が形成されている、請求項２または３記載の音管。
【請求項５】
前記キャップと前記管体とが呈する前記異なる色は、金、銀、黒から選ばれた２色である、請求項１記載の音管。
【発明の詳細な説明】
【技術分野】
【０００１】
この発明は、管状の発音体である音管を有する楽器に関し、特に、打撃により音管を発音させる楽器に関する。
【背景技術】
【０００２】
旋律の演奏が可能な打楽器として、フレームに吊り下げられた長さの異なる複数の金属管（音管）を打撃することにより、異なる音高の音を発生させるチャイム（チューブラーベル）が知られている（例えば、非特許文献１参照）。このようなチャイムでは、演奏は、音管の上端部において外方に突出している部分（打撃部）を打撃して、音管に音を発生させること、すなわち、音管を発音させることにより行われる。
【先行技術文献】
【特許文献】
【０００３】
【非特許文献１】Adams Percussion brochure 2015、第７６−８１頁、［平成２８年２月２２日検索］、インターネット＜http://www.adams-music.com/pageflip/pageflip.asp?u=percussion2015&p=112&t=Adams Percussion brochure 2015＞
【発明の概要】
【発明が解決しようとする課題】
【０００４】
ところで、チャイムに使用される音管は、通常、全体として同一の素材および表面処理により形成される。具体的には、音管の本体である管体と、管体に組み付けられるキャップとは、母材である真鍮にクロムめっき（シルバークロムめっき）を施すことにより形成される。また、管体およびキャップは、母材である真鍮にラッカー塗装を施すことにより形成される場合もある。このように全体として同一の素材および表面処理により形成された音管では、管体とキャップの打撃部との識別がその形状でのみ行われる。そのため、視認性が低下するような照明状態等、チャイムが使用される環境によっては、演奏者が管体を打撃部と誤認し、誤って管体を打撃する可能性がある。この場合、音管は演奏者の意図とは異なり適正に発音せず、演奏が失敗することとなる。
【０００５】
本発明は、上述した従来の課題を解決するためになされたものであり、演奏者が誤って音管の管体を打撃することを抑制し、音管を有する楽器の演奏性を向上させる技術を提供することを目的とする。
【課題を解決するための手段】
【０００６】
上記課題の少なくとも一部を達成するために、本発明の音管は、打撃により発音する音管であって、前記音管を発音させる際に打撃が行われるキャップと、前記キャップが組み付けられる管体と、を備え、前記キャップと前記管体とは、前記キャップと前記管体とを組み付けた状態の外観において、前記キャップと前記管体とが異なる色を呈するように構成されていることを特徴とする。
【０００７】
キャップと管体とを組み付けた状態の外観においてキャップと管体とが異なる色を呈するようにすることで、演奏者は、打撃すべきキャップをより確実に視認することができる。そのため、誤って音管の管体を打撃することが抑制されるので、音管を有する楽器の演奏性を向上させることができる。
【０００８】
前記キャップは、真鍮により形成されたキャップ母材を有し、前記管体は、真鍮により形成された管体母材を有しており、前記キャップ母材の表面には金属のめっき層が形成されているものとしても良い。一般に、キャップ母材の表面に金属のめっき層を形成すると、キャップの表面硬度が高くなる。このように、打撃されるキャップの表面硬度を高くすることにより、打撃により発生する音のアタックをより鋭くすることができる。
【０００９】
前記めっき層を形成する金属は、クロムであるものとしても良い。めっき層をクロムにより形成することで、キャップの表面硬度をさらに高くすることができる。そのため、打撃により発生する音のアタックをさらに鋭くすることができる。
【００１０】
前記管体母材の外面には、ラッカー層が形成されているものとしても良い。管体母材の外面にラッカー層を形成することにより、音管を打撃した際に高次の倍音が発生することが抑制される。そのため、音管が発生する音が高次の倍音により派手になることが抑制されるので、音管に落ち着きのある音を発生させることが可能となる。
【００１１】
前記キャップと前記管体とが呈する前記異なる色は、金、銀、黒から選ばれた２色であるものとしても良い。金、銀、黒の３色のいずれかを呈する表面は、楽器の製造工程において通常使用されるクリアラッカー塗装あるいは金属のめっきにより形成することができる。そのため、キャップと管体とを組み付けた状態において、キャップと管体とが異なる色を呈するようにすることがより容易となる。
【００１２】
なお、本発明は、種々の態様で実現することが可能である。例えば、音管およびその製造方法、その音管を使用したチャイム等の楽器等の態様で実現することができる。
【図面の簡単な説明】
【００１３】
【図１】本発明の一実施形態としてのチャイムの全体構成を示す全体構成図。
【図２】音管の構成を示す説明図。
【発明を実施するための形態】
【００１４】
Ａ．チャイムの構成：
図１は、本発明の一実施形態としてのチャイム１（「チューブラーベル」とも呼ばれる）の全体構成を示す斜視図である。チャイム１は、複数の音管１０（「サウンドコラム」とも呼ばれる）と、音管１０を吊り下げるためのフレーム２０とを備えている。フレーム２０は、脚部２１と、脚部２１の左右両端部から鉛直上方に立ち上がる２本の支柱２２と、２本の支柱２２の上端を渡すように形成されたハンガー３０とを有している。なお、ここで左右あるいは上方とは、演奏者側からチャイム１を見た際の方向であり、以下においても、特に記載がない限り、上下左右の各方向を、演奏者側からチャイム１を見た際の方向として規定する。また、以下において、前後方向は、チャイム１を基準として演奏者側の方向を前とし、演奏者側の反対方向を後として規定する。
【００１５】
ハンガー３０は、左右両端において支柱２２に固定される２つの支柱取付部３１と、２つの支柱取付部３１の間に設けられた２つのハンガーバー３２とを有している。ハンガーバー３２には、演奏者側（前方）に延びるハンガーピン３３が設けられている。音管１０は、ハンガーピン３３とハンガーバー３２に設けられた固定ピン（図示しない）とに音管１０に取り付けられたワイヤー４０を掛けることにより、ハンガー３０に吊り下げられる。なお、音管１０をハンガー３０に吊り下げる吊下方法や、ハンガー３０を含むフレーム２０あるいは音管１０以外の部分の具体的な構成や機能は、本発明と直接関連しないので、ここではその説明を省略する。
【００１６】
図１に示すチャイム１では、音管１０が吊り下げられる２つのハンガーバー３２が前後および上下に離間した状態で支柱取付部３１に取り付けられている。そのため、複数の音管１０は、図１に示すように、前方および後方のそれぞれにおいて列を形成する。なお、一般的に、音管１０は、左から右に向かって順番に音高が高くなるように配列されるとともに、前方には、幹音を発生する音管１０が配列され、後方には、派生音を発生する音管１０が配列される。
【００１７】
Ｂ．音管の構成：
図２は、音管１０の構成を示す説明図である。図２（ａ）は、音管１０の分解斜視図であり、音管１０を構成する各部材の部分断面を示している。図２（ｂ）は、音管１０の外観斜視図である。なお、音管１０は、上下方向に長く延びているが、図示の便宜上、図２では、音管１０の上端部のみを図示している。また、図２において、一点鎖線Ａ−Ａは、音管１０の中心軸（以下、「中心軸Ａ」とも呼ぶ）を表している。図２に示すように、音管１０は、管体１１と、キャップ１２とを有している。
【００１８】
管体１１は、円筒状の部材である。この管体１１には、２つの貫通穴１１９が中心軸Ａに対して対称な位置に形成されている。管体１１に設けられた貫通穴１１９には、音管１０をハンガー３０（図１）に吊り下げるためのワイヤー４０が通される。キャップ１２は、円筒状の組付部１２１と、組付部１２１よりも外径が大きい大径部１２２とを有している。なお、キャップ１２の大径部１２２は、音管１０を発音させる際に打撃される部分である。そのため、大径部１２２は、「打撃部」とも呼ぶことができる。キャップ１２には、中心軸Ａに沿ってキャップ１２を貫通する中心穴１２９が設けられている。組付部１２１の外径は、管体１１の内径よりわずかに大きくなっている。この組付部１２１を管体１１の上端に圧入することにより、キャップ１２が管体１１に組み付けられ、音管１０が形成される。
【００１９】
本実施形態において、管体１１は、真鍮（黄銅）で形成されている。管体１１の原材料となる真鍮の管材は、通常、引抜加工により形成されるが、押出加工等の他の方法により形成することも可能である。管体１１の外面には、クリアラッカー塗装（以下、単に「ラッカー塗装」とも謂う）が施されている。従って、管体１１は、真鍮で形成された母材（管体母材）を有し、当該母材の外面にラッカー層が形成されていると謂うこともできる。管体１１の外面にラッカー塗装を施すことにより、黒色の酸化皮膜の生成による表面の変色（色のくすみ）が抑制される。
【００２０】
本実施形態において、キャップ１２も真鍮で形成されている。キャップ１２は、通常、原材料となる真鍮のブロックに切削加工を施すことにより形成されるが、鍛造等の他の方法により形成することも可能である。キャップ１２は、切削加工等により成形がなされた後、表面にシルバークロムめっきが施されることにより形成される。従って、キャップ１２は、真鍮で形成された母材（キャップ母材）を有し、当該母材の表面にクロムのめっき層が形成されていると謂うこともできる。キャップ１２の表面にシルバークロムめっきを施すことにより、キャップ１２の表面の変色が抑制される。
【００２１】
このように、本実施形態では、真鍮にラッカー塗装を施した管体１１に、真鍮にシルバークロムめっきを施したキャップ１２を組み付けることで、音管１０を形成している。そのため、図２（ｂ）に示すように、音管１０の外観において、管体１１が真鍮の表面色である金色を呈し、キャップ１２の大径部１２２がシルバークロムめっきの表面色である銀色を呈する。すなわち、本実施形態の音管１０では、演奏のために打撃される大径部１２２と、打撃されない管体１１との呈する色が異なっている。そのため、演奏者は、打撃すべき大径部１２２をより確実に視認することができ、誤って音管１１を打撃することが抑制されるので、チャイム１（図１）の演奏性を向上させることができる。
【００２２】
なお、本実施形態では、管体１１の外面にラッカー塗装を施し、キャップ１２にシルバークロムめっきを施すことにより、それぞれが呈する色を金色と銀色にしているが、一般的には、管体１１とキャップ１２とが異なる色を呈するようにできれば良い。例えば、管体１１をシルバークロムめっきし、キャップ１２をラッカー塗装して、管体１１が銀色を呈し、キャップ１２が金色を呈するようにしても良い。これらの場合において、銀色を呈するシルバークロムめっきに替えて、黒色を呈する黒色クロムめっきを施すこととしても良く、ラッカー塗装を省略することも可能である。また、管体１１およびキャップ１２の双方に異なる色を呈するめっきを施すものとしても良い。例えば、管体１１とキャップ１２のいずれか一方にシルバークロムめっきを施し、他方に黒色クロムめっきを施すものとしても良い。また、銀色を呈する表面は、クロムの他、ニッケルやロジウムをめっきすることにより形成することができ、黒色を呈する表面は、クロムの他、ニッケルをめっきすることにより形成することができる。
【００２３】
さらに、本実施形態では、キャップ１２にシルバークロムめっきを施すことにより、キャップ１２全体が銀色を呈するようにしているが、一般的には、キャップ１２を管体１１に組み付けた状態の外観において、キャップ１２と管体１１とが呈する色が異なっていれば良い。例えば、キャップ１２の大径部１２２のみに、めっきやラッカー塗装を施すものとしても良い。
【００２４】
また、本実施形態では、真鍮で形成された管体１１およびキャップ１２に異なる表面処理（塗装およびめっき）を施すこと、すなわち、表面処理状態を異なったものとすることにより、管体１１およびキャップ１２が呈する色を異なる色としているが、管体１１およびキャップ１２の少なくとも一方の材質を変更することにより、管体１１およびキャップ１２が異なる色を呈するようにすることも可能である。例えば、管体１１およびキャップ１２のいずれか一方を金色を呈する真鍮で形成し、他方を銀色を呈する洋白で形成することも可能である。この場合、管体１１あるいはキャップ１２に、必要に応じてラッカー塗装を施すものとしても良い。
【００２５】
以上の説明から明らかなように、管体１１およびキャップ１２にめっきやラッカー塗装を施し、あるいは、管体１１およびキャップ１２を形成する材質を異なるものとすることにより、管体１１およびキャップ１２は、金、銀、黒から選択された異なる２色を呈するように構成されている。但し、管体１１とキャップ１２との少なくとも一方が、金、銀あるいは黒以外の色を呈するようにすることも可能である。この場合、金、銀あるいは黒以外の色を呈するように、管体１１とキャップ１２との少なくとも一方を着色したラッカーで塗装すればよい。なお、管体１１とキャップ１２とを色の異なるラッカーで塗装した場合も、管体１１とキャップ１２とになされる表面処理が異なっていると謂うことができる。但し、金、銀、黒の３色のいずれかを呈する表面は、楽器の製造工程において通常使用されるクリアラッカー塗装あるいは金属のめっきにより形成することができるため、キャップ１２と管体１１とが異なる色を呈するようにすることがより容易となる。この点において、管体１１およびキャップ１２は、金、銀、黒から選択された異なる２色を呈するようにするのが好ましい。
【００２６】
Ｃ．表面処理および材質と音質：
上述のように、本実施形態では、真鍮にラッカー塗装を施した管体１１に、真鍮にシルバークロムめっきを施したキャップ１２を組み付けることで、演奏のために打撃される大径部１２２と、打撃されない管体１１とが異なる色を呈するようにし、チャイム１（図１）の演奏性を向上させている。しかしながら、塗装やめっき等の表面処理、あるいは、各部材の材質は、音管１０が発生する音の質（以下、「音管１０の音質」あるいは単に「音質」とも謂う）に影響を与える。そのため、管体１１やキャップ１２に施される表面処理、あるいは、管体１１やキャップ１２の材質は、これらが音管１０の音質に与える影響を考慮して選択するのが好ましい。
【００２７】
シルバークロムめっきあるいは黒色クロムめっき（以下、併せてクロムめっきと総称する）は、表面硬度を母材である真鍮よりも高くするため、打撃により発生する音のアタック鋭くし、音管の音質を硬くする効果がある。その一方、クロムめっきは、振動を止める性質を有しているため、響き（サステイン）を抑制する。なお、このような特性は、クロムのほか、ニッケルやロジウム等の金属をめっきした際に共通する。但し、表面硬度をより高くしてアタックをより鋭くするためには、表面硬度を十分に高くすることが可能なクロムめっきを施すのが好ましい。
【００２８】
これに対し、ラッカー塗装は、表面硬度を母材である真鍮よりも低くするため、打撃により発生する音のアタックを鈍くする。一方、ラッカー塗装は、高次の倍音の発生を抑制し音質が派手になることを抑制するため、音管１０の音質を落ち着きのあるものにする。また、ラッカー塗装は、振動を止める性質を有していないので、響きが抑制されることを防ぐことも可能である。
【００２９】
洋白は、真鍮と比較して表面硬度が高いため、洋白により管体１１あるいはキャップ１２を形成すると、打撃により発生する音のアタックを鋭くすることができる。また、洋白は、耐食性が高く表面が変色しにくいため、変色防止のためのラッカー塗装やめっきを省略することもできる。但し、洋白は、真鍮と比較して加工性が低いため、管体１１として適切な管材の入手が必ずしも容易でない。さらに、洋白は、ニッケルを含有しているため真鍮と比較して高価であり、洋白を用いることによりコストが上昇する。これらの点において、管体１１およびキャップ１２は、真鍮で形成するのが好ましい。
【００３０】
管体１１は、その全体形状が大きいため、管体１１に均質なめっきを施すことは必ずしも容易でなく、表面に曇りが生じる可能性がある。また、管体１１の製造工程において管体に傷が生じた場合や、管体１１の原材料である管材に微小な鬆が存在する場合には、傷や鬆の部分においてめっき層に微細な穴（ピンホール）が生じる可能性がある。そのため、管体１１にめっきを施す場合には、めっきされた表面に曇りが生じることを抑制し、また、ピンホールの発生を抑制するため、十分に厚くめっきを施すことが求められる。しかしながら、上述のように、めっきは、振動を止める性質を有しているため、管体１１に厚くめっきを行うと、響きが抑えられ、音管１０が適切に発音しなくなる可能性がある。そのため、管体１１には、クロムめっき等のめっきを施さないのが好ましい。そして、響きを良好に維持するとともに、音質を落ち着きのあるものにすることができる点で、管体１１にはラッカー塗装を施すのが好ましい。
【００３１】
一方、キャップ１２は、めっきによる響きの抑制の影響が小さいため、厚くめっきを施すことが可能である。また、キャップ１２は、その全体形状が小さいため、均質なめっきを施すことが容易である。そのため、キャップ１２については、めっきを施した場合においても、曇りやピンホールの発生により外観が劣化することが抑制される。さらに、音管１０を発音させる際の打撃は、キャップ１２の大径部１２２に対して行われるので、キャップ１２にめっきを施すことにより、打撃により発生する音のアタックを鋭くする効果がより顕著に現れる。これらの点から、キャップ１２には、めっきを施すのが好ましい。
【００３２】
このように、真鍮にラッカー塗装を施した管体１１に、真鍮にクロムめっきを施したキャップ１２を組み付けることにより、響きが良く、音質に落ち着きがあり、かつ、アタックの鋭い音を発生させることが可能な音管１０を形成することができる。
【００３３】
Ｄ．変形例：
本発明は上記実施形態に限られるものではなく、その要旨を逸脱しない範囲において種々の態様において実施することが可能であり、例えば、次のような変形も可能である。
【００３４】
Ｄ１．変形例１：
上記実施形態においては、単一の音管１０について、キャップ１２と管体１１とが異なる色を呈するようにしているが、管体１１が呈する色が同一でキャップ１２の呈する色が異なる複数の音管を使用し、あるいは、キャップ１２の呈する色が同一で管体１１の呈する色が異なる複数の音管を使用することも可能である。この場合、音管１０が前方と後方との２列に音管１０が配列されたチャイム１において、前方の列と後方の列とで、キャップ１２が呈する色を異なるようにし、あるいは、管体１１が呈する色を異なるようにすることにより、幹音を発音する音管１０と、派生音を発音する音管１０との識別を容易にし、チャイム１の演奏性をさらに向上させることも可能である。
【００３５】
Ｄ２．変形例２：
上記実施形態においては、本発明が適用されるチャイムとして、前方と後方との２列に音管１０が配列されたチャイム１を示しているが、本発明は、音管１０が一列に配列されたチャイム、あるいは、単一の音管１０のみを有するチャイム等にも適用することができる。また、音管１０を有する楽器であるチャイムの他、個別に提供される音管１０そのものにも適用することができる。
【符号の説明】
【００３６】
１…チャイム、１０…音管、１１…管体、１１９…貫通穴、１２…キャップ、１２１…組付部、１２２…大径部、１２９…中心穴、２０…フレーム、２１…脚部、２２…支柱、３０…ハンガー、３１…支柱取付部、３２…ハンガーバー、３３…ハンガーピン、４０…ワイヤー
【図１】
2017173435.tif 000003
【図２】
2017173435.tif 000004